(57)【特許請求の範囲】
【請求項１】
ヒートポンプ回路を用いて加熱した湯水をタンク上部から成層状態で貯湯しその湯水を利用して端末側に所望の湯水を供給する貯湯式給湯装置において、
タンク上部の湯水を取り出す出湯管と、タンクの略中間部の湯水を取り出す中温出湯管と、前記中温出湯管近傍のタンク内湯温を検出する中部温度検出手段と、前記中温出湯管と上部出湯管の間のタンク内湯温を検出する上部温度検出手段と、前記出湯管と前記中温出湯管からの湯水を混合する第１混合弁と、前記第１混合弁からの湯水と給水管からの水を混合し所定温度の湯水を端末側に供給する利用側混合弁と、前記第１混合弁と利用側混合弁の弁開度制御を行う制御部とを備え、
全量沸き上げ運転を行う時間帯を設定するとともに、湯量不足を判断したとき湯切れ沸き上げ運転を行うことを設定した貯湯式給湯装置であって、
前記制御部は、全量沸き上げ運転を行う時間帯に、前記中部温度検出手段で検出される湯温が３０℃以上であり、かつ、前記上部温度検出手段で検出される湯温が４５℃以上を所定時間継続した場合に、前記第１混合弁を前記出湯管側に全開状態となるように駆動させることを特徴とする貯湯式給湯装置。
【請求項２】
制御部は、予め定めた沸き上げ条件で全量沸き上げ運転の完了が確認されたとき、第１混合弁の湯水混合制御を復帰させるようにした請求項１に記載の貯湯式給湯装置。
【請求項３】
制御部は、最初の全量沸き上げ運転の時間帯が経過した後の湯切れ沸き上げ運転を行う時間帯になってから、第１混合弁の湯水混合制御を復帰させるようにした請求項１に記載の貯湯式給湯装置。
【発明の詳細な説明】
【技術分野】
【０００１】
本発明は、貯湯式給湯装置に関するものであり、特に、電動式混合弁を用いた湯水混合制御に関するものである。
【背景技術】
【０００２】
従来、この種の貯湯式給湯装置は、ヒートポンプ回路で加熱された湯水を貯湯タンクの上部から成層状態で貯湯し、その貯湯された湯水を上部出湯管より取り出し給水管から供給される水と混合して所定の湯温に調節して給湯端末等の負荷側に供給するようにしていた。また、近年、この貯湯水を用いて風呂の追い焚きや暖房に利用する機能を有した貯湯式給湯装置が注目されるようになってきた。しかし、この場合、風呂の追い焚きや暖房に利用した後の温度の低下した湯水は再度貯湯タンク内に回収されるため、貯湯タンク内部には上部の高温水の下方に中温水と呼ばれる中途半端な温度の湯水が多量に蓄えられることになる。この中温水が蓄えられた状態で全量沸き上げ動作が行われると、ヒートポンプ回路への入水温度が高い状態でヒートポンプサイクルの加熱動作が行われるため、効率の悪い、いわゆるＣＯＰの低い沸き上げ動作となる。
【０００３】
そこで、この対策として特許文献１に開示されているように、貯湯タンクの中間部に中温水の取り出し口を設け、この取り出し口より取り出された中温水と上部出湯管より取り出された高温水を混合して所定の湯温を確保し、さらに、この混合水と給水管より供給される水を混合することで設定温度の湯水を精度よく得るようにしていた。この方法によれば中温水を積極的に取り出すことができるため、貯湯タンク下方には低温水を確保することができるとともに、貯湯タンク上方の高温水の使用を最小限に抑えることができ、高ＣＯＰの沸き上げ動作と湯切れ現象の抑制を図ることができるものである。
【特許文献１】特開２００３−２４０３４２号公報
【発明の開示】
【発明が解決しようとする課題】
【０００４】
しかしながら、上記従来の構成によれば、ヒートポンプ回路を用いた給湯装置において、中温水の沸き上げ性能への影響を排除するため優先的に中温水を利用する手段を設けたことにより、貯湯タンク下方には低温水を確保することができるとともに、貯湯タンク上方の高温水の使用を最小限に抑えることができ、高ＣＯＰの沸き上げ動作と湯切れ現象の抑制を図ることができ、ヒートポンプ式給湯装置の湯水利用形態としては極めて有効な手段ではあるが、一方、貯湯タンク内の湯水の利用量が極端に少ない、または全く使用されない等の状況において貯湯タンク内の湯水の利用が長時間停滞し、貯湯タンク内の湯水の温度が低下してくると、雑菌の繁殖が起こる恐れがあり、特に、レジオネラ菌が繁殖すると人体に危害を及ぼす恐れがある。このレジオネラ菌は湯温が２５℃〜５０℃の範囲で活発に活動し、この湯温範囲は上記使用湯量が極端に少ない状態において貯湯タンクの下部で発生しやすい現象となる。このような状態において中温水の利用手段を用いて湯水を供給すると繁殖したレジオネラ菌等の雑菌を積極的に利用側端末に供給することになり、衛生面で課題を有するものであった。
【０００５】
本発明は、上記従来の課題を解決するもので、ヒートポンプ式給湯装置の湯水利用形態として極めて有効な手段である中温水を優先的に使用可能な湯水混合制御方法を提供しつつ、貯湯タンク内の湯水の利用量が極端に少ない等の状況で湯水の利用が停滞したときの安全性を確保した貯湯式給湯装置の提供を目的とするものである。
【課題を解決するための手段】
【０００６】
上記従来の課題を解決するために、本発明の貯湯式給湯装置は、ヒートポンプ回路を用いて加熱した湯水をタンク上部から成層状態で貯湯しその湯水を利用して端末側に所望の湯水を供給する貯湯式給湯装置において、タンク上部の湯水を取り出す出湯管と、タンク
の略中間部の湯水を取り出す中温出湯管と、前記中温出湯管近傍のタンク内湯温を検出する中部温度検出手段と、前記中温出湯管と上部出湯管の間のタンク内湯温を検出する上部温度検出手段と、前記出湯管と前記中温出湯管からの湯水を混合する第１混合弁と、前記第１混合弁からの湯水と給水管からの水を混合し所定温度の湯水を端末側に供給する利用側混合弁と、前記第１混合弁と利用側混合弁の弁開度制御を行う制御部とを備え、全量沸き上げ運転を行う時間帯を設定するとともに、湯量不足を判断したとき湯切れ沸き上げ運転を行うことを設定した貯湯式給湯装置であって、前記制御部は、全量沸き上げ運転を行う時間帯に、前記中部温度検出手段で検出される湯温が３０℃以上であり、かつ、前記上部温度検出手段で検出される湯温が４５℃以上を所定時間継続した場合に、前記第１混合弁を前記出湯管側に全開状態となるように駆動させることを特徴とするものである。
【０００７】
上記発明によれば、中部温度検出手段で貯湯タンク内に中温水が存在するか否かを判断し、上部温度検出手段で貯湯タンク上部の高温水が使用され湯水の入れ替え現象が発生したか否かを判断し、前記両者の判断結果より貯湯タンク内の湯水の利用量が少なく、貯湯タンク下方において中温以下の湯水が長時間停滞した後の湯水利用形態として、中温出湯管からの湯水供給を行わないように第１混合弁の制御を禁止するようにしているため、中温水が存在し、かつ湯水の利用量が少なく貯湯タンク内の湯水が停滞し、貯湯タンク下部で温度低下が起こってレジオネラ菌等の雑菌が繁殖したとしても、貯湯タンク上部の比較的高温の湯水から利用することができ、雑菌の影響を受けることなく湯水供給が可能となる。
【発明の効果】
【０００８】
本発明の貯湯式給湯装置は、ヒートポンプ式給湯装置の湯水利用形態として極めて有効な手段である中温水を優先的に使用可能な湯水混合制御方法を提供しつつ、貯湯タンク内の湯水の利用量が極端に少ない等の状況で湯水の利用が停滞したときの安全性を確保した貯湯式給湯装置を提供することができる。
【発明を実施するための最良の形態】
【０００９】
第１の発明は、ヒートポンプ回路を用いて加熱した湯水をタンク上部から成層状態で貯湯しその湯水を利用して端末側に所望の湯水を供給する貯湯式給湯装置において、タンク上部の湯水を取り出す出湯管と、タンクの略中間部の湯水を取り出す中温出湯管と、前記中温出湯管近傍のタンク内湯温を検出する中部温度検出手段と、前記中温出湯管と上部出湯管の間のタンク内湯温を検出する上部温度検出手段と、前記出湯管と前記中温出湯管からの湯水を混合する第１混合弁と、前記第１混合弁からの湯水と給水管からの水を混合し所定温度の湯水を端末側に供給する利用側混合弁と、前記第１混合弁と利用側混合弁の弁開度制御を行う制御部とを備え、全量沸き上げ運転を行う時間帯を設定するとともに、湯量不足を判断したとき湯切れ沸き上げ運転を行うことを設定した貯湯式給湯装置であって、前記制御部は、全量沸き上げ運転を行う時間帯に、前記中部温度検出手段で検出される湯温が３０℃以上であり、かつ、前記上部温度検出手段で検出される湯温が４５℃以上を所定時間継続した場合に、前記第１混合弁を前記出湯管側に全開状態となるように駆動させることを特徴とするものである。
【００１０】
そして、中部温度検出手段で貯湯タンク内に中温水が存在するか否かを判断し、上部温度検出手段で貯湯タンク上部の高温水が使用され湯水の入れ替え現象が発生したか否かを判断し、前記両者の判断結果より貯湯タンク内の湯水の利用量が少なく、貯湯タンク下方において中温以下の湯水が長時間停滞した後の湯水利用形態として、中温出湯管からの湯水供給を行わないように第１混合弁の制御を禁止するようにしているため、中温水が存在し、かつ湯水の利用量が少なく貯湯タンク内の湯水が停滞し、貯湯タンク下部で温度低下が起こってレジオネラ菌等の雑菌が繁殖したとしても、貯湯タンク上部の比較的高温の湯水から利用することができ、雑菌の影響を受けることなく湯水供給が可能となる。
【００１１】
また、制御部は、第１混合弁を湯側全開状態とし、中温出湯管からの湯水供給を禁止するようにしたことを特徴とするものである。
【００１２】
そして、中温水が存在し、かつ、湯水の利用量が少ない中温水使用禁止モードになったときは、タンク上部の出湯管からのみ湯水を供給するように第１混合弁を湯側全開状態としているため、貯湯タンク下部で繁殖した雑菌が利用側端末に供給されることを抑制することができる。つまり、雑菌が繁殖しやすい温度分布となる貯湯タンク下部に近い中温出湯管からの湯水供給を禁止するようにしているため、雑菌が利用側端末に供給されることがなく、中温出湯管より上の雑菌が繁殖しにくい比較的高温の湯水を利用して利用側混合弁により所望の湯温に調節して使用することで所定量の湯水を確保することができる。
【００１３】
第２の発明は、制御部は、予め定めた沸き上げ条件で全量沸き上げ運転の完了が確認されたとき、第１混合弁の湯水混合制御を復帰させるようにしたものである。
【００１４】
そして、中温水が存在し、かつ、湯水の利用量が少ない中温水使用禁止モードと判断された後の深夜時間帯に、貯湯タンクの全量が沸き上げられ、貯湯タンク下部の湯温が雑菌が死滅する温度、例えば６５℃になると、通常の湯水混合制御を行うように復帰させているため、中温水が存在し、かつ湯水の利用量が極端に少ない期間中に繁殖した雑菌は死滅し、その後、安全な状態で中温水を優先的に利用する湯水混合制御により効果的な湯水供給を行うことができる。
【００１５】
第３の発明は、制御部は、最初の全量沸き上げ運転の時間帯が経過した後の湯切れ沸き上げ運転を行う時間帯になってから、第１混合弁の湯水混合制御を復帰させるようにしたものである。
【００１６】
そして、中温水が存在し、かつ、湯水の利用量が少ない中温水使用禁止モードになったときは、その後最初の夜間時間帯が経過した後の昼間時間帯になってから、第１混合弁の制御禁止を解除するようにしたもので、中温水使用禁止モード中は第１混合弁の制御を禁止して中温出湯管からの湯水の供給を禁止するため、中温水が存在し、かつ湯水の利用量が極端に少ない期間中に貯湯タンク下部に繁殖したレジオネラ菌等の雑菌の流出を防止することができ、夜間時間帯を経過することで貯湯タンク下部の湯水を含むタンク全量をレジオネラ菌が死滅する６５℃以上の湯温に沸き上げることができ、この全量沸き上げ運転の時間帯を経過した後に第１混合弁の制御を用いて湯水混合制御を行うことで、レジオネラ菌等の雑菌が存在しない状態で効果的な湯水利用形態を確保することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における貯湯式給湯装置の構成図である。
【００１９】
貯湯タンク１０１には下部と上部を連通させた沸き上げ配管１０２を設け、その途中に沸き上げポンプ１０３と熱交換器１０４を配設している。この沸き上げ経路によって貯湯タンク１０１下部の水は、沸き上げポンプ１０３によって熱交換器１０４に導かれ、その熱交換器１０４を通過する過程で加熱されて湯となり、貯湯タンク１０１上部に導かれる。貯湯タンク１０１に供給された湯は貯湯タンク１０１内でその比重差から湯が上部、水が下部に分離し、湯が押し下げられる形で層を成して蓄積される。貯湯タンク１０１内の湯が使用されると、それに伴い給水管１０５から貯湯タンク１０１内に水が給水され、貯湯タンク１０１内には使用状況に応じて減量した高温の湯が上部に、給水管１０５より供
給された水が下部に分離した状態で貯留される。
【００２０】
また、熱交換器１０４の熱源となるヒートポンプ回路１０６は、圧縮機１０７、膨張弁１０８、ファン１０９による強制空冷式の蒸発器１１０で構成され、冷媒として二酸化炭素を用い、高圧側では臨界圧を越える状態で運転することで９０℃に近い高温水を貯湯することができるとともに、レジオネラ菌などを考慮した６５℃程度の温水の貯湯は高いＣＯＰで行うことができるものである。
【００２１】
次に、貯湯タンク１０１内の湯水を負荷側に供給するための利用側回路構成について説明すると、貯湯タンク１０１の上部には高温水を取り出す出湯管１１１を設け、この出湯管１１１と給水管１０５の略中間部には中温水を取り出す中間出湯管１１２を設けている。
【００２２】
出湯管１１１からは浴槽１１３の湯水と熱交換して追い焚き動作を行うための風呂熱交換器１１４と接続し循環ポンプ１１５を介して貯湯タンク１０１の下部に接続した風呂利用回路１１６が設けられており、前記風呂熱交換器１１４の二次側には浴槽１１３の風呂アダプター１１７と接続し風呂ポンプ１１８により浴槽水を循環させるための風呂循環回路１１９が構成されている。上記構成により、貯湯タンク１０１の上部より供給された高温水は風呂熱交換器１１４で風呂循環回路１１９を流れる浴槽水と熱交換され温度低下した後、中温水となって貯湯タンク１０１に戻される。この風呂追い焚き動作が継続すると貯湯タンク１０１内は上部の高温水の量が減少しその下方に蓄積される中温水の量が増大する。この中温水の増大現象は種々の弊害を招き、大きくは沸き上げ動作時におけるヒートポンプ回路１０６の運転効率（ＣＯＰ）の低下に関与する。すなわち、貯湯タンク１０１の下部に中温水が増加すると沸き上げ時の熱交換器１０４の入水温度が高い状態でヒートポンプ回路１０６の冷媒と熱交換することになり、冷媒と温水との温度差が減少して加熱能力が低下する。特に、冷媒として二酸化炭素を用いたヒートポンプサイクルにあっては、ヒートポンプの高圧側圧力が高いため入水温度が高くなるとヒートポンプの運転効率（ＣＯＰ）の低下度合いが顕著となる。
【００２３】
さらに、中温水が増加することは、貯湯タンク１０１の上部高温水が減少することであり、全体として貯湯能力が低下することになり、湯量不足につながるものでもある。
【００２４】
そこで、本実施の形態ではこの中温水対策として、貯湯タンク１０１の略中間部に中間出湯管１１２を設け、この中間出湯管１１２と上部出湯管１１１より供給される湯水を混合し所定の混合水を得るための第１混合弁１２０を設け、第１温度検出器１２１で検出される湯温をフィードバックすることで弁開度の調節を行い所定の目標温度を確保するようにしている。この第１混合弁１２０を設けたことにより、使用目的に応じた湯温を中温水を優先的に取り出すことが可能となり、貯湯タンク１０１内の中温水を減少させることができる。
【００２５】
前記第１混合弁１２０の出力側には用途に応じた負荷側回路が構成され、まず給湯利用として、第１混合弁１２０からの混合水と給水管１０５からの水とを混合し設定温度の湯水を得るための負荷側混合弁の１つである給湯混合弁１２２を設け、カラン１２４に供給するようにしている。この給湯混合弁１２２の出力側には給湯温度検出器１２３が取り付けられ、給湯温度検出器１２３で検出される湯温をフィードバックすることで弁開度の調節を行い設定温度を確保するようにしている。
【００２６】
また、風呂利用としては、第１混合弁１２０からの混合水と給水管１０５からの水とを混合し設定温度の湯水を得るための負荷側混合弁の１つである風呂混合弁１２５を設け、注湯弁１２６を介して風呂循環回路１１９に接続し浴槽１１３への湯張りを行うようにし
ている。この風呂混合弁１２５の出力側には風呂温度検出器１２７が取り付けられ、風呂温度検出器１２７で検出される湯温をフィードバックすることで弁開度の調節を行い設定温度を確保するようにしている。
【００２７】
なお、第１混合弁１２０の高温水側供給経路には逆止弁１２８を設け、中間出湯管１１２からの中温水の逆流を防止するようにしている。また、給湯混合弁１２２及び風呂混合弁１２５の湯側供給経路にも逆止弁１２９、１３０を設けるとともに、給湯混合弁１２２の出力側には逆止弁１３１を設けている。
【００２８】
また、カラン１２４の近傍には給湯リモコン１３２、浴室には風呂リモコン１３３が設けられている。この給湯リモコン１３２または風呂リモコン１３３からの運転指示は機器本体側に設けられた制御部１３４に無線または有線で送られ、送信された条件に従って制御部１３４で予め規定された制御動作に基づいて各種動作を行うようにしている。
【００２９】
また、制御部１３４には２４時間を計時するカレンダー機能付きのタイマー部１４０が設けられており、このタイマー部１４０により全量沸き上げ運転を行う夜間時間帯、すなわち深夜電力時間帯（例えば、２３時〜７時）と、湯切れ沸き上げ運転を行う昼間時間帯（７時〜２３時）を設定するようにしている。
【００３０】
本実施の形態における貯湯式給湯装置は、図２に示すような沸き上げ回路１０２により深夜電力時間帯（例えば、２３時〜７時）に予め設定された沸き上げモードに従って貯湯タンク１０１の全量沸き上げ動作を行い、昼間時間帯（７時〜２３時）に貯湯タンク１０１の壁面に取り付けられた残湯湯温検出器１３５、１３６、１３７で検出される温度に基づいて残湯量が減少し湯量不足が発生すると思われる場合は湯切れ沸き上げ動作を行い、貯湯タンク１０１の上部に必要な高温水湯量を確保するようにしている。以上のような沸き上げ動作によって、貯湯タンク１０１には上部から高温水、中温水、低温水の順で層をなして蓄積されることになる。
【００３１】
さらに、前記残湯湯温検出器１３５、１３６、１３７のうち、中温出湯管１１２の近傍に設けた残湯湯温検出器１３６は貯湯タンク１０１内に中温水が存在しているか否かを判断するため、予め定めた第１設定温度（例えば３０℃）と比較し、比較結果が残湯湯温検出器１３６で検出される温度が第１設定温度以上の場合は、中温出湯管１１２の近傍の貯湯タンク１０１内に中温水が存在していると判断する中部温度検出手段を構成している。
【００３２】
また、残湯湯温検出器１３７は貯湯タンク１０１の上部の高温水が使用され給水管１０５から新たな水が供給されて貯湯タンク１０１内の湯水が停滞することなく流動しているか否かを判断するため、予め定めた第２設定温度（例えば４５℃）と比較し、この比較結果において残湯湯温検出器１３７で検出される温度が第２設定温度を一度も下回っていないと判断したとき、貯湯タンク１０１内の湯水が使用されていない、または、使用量が極端に少ないと判断する上部温度検出手段を構成している。
【００３３】
このように蓄積された貯湯水は、給湯リモコン１３２または風呂リモコン１３３からの要求により制御部１３４が利用側回路の負荷側混合弁を制御して所望の湯水を利用側端末に供給するようにしている。
【００３４】
その本実施の形態における利用側回路の動作の一例を図３、図４を用いて説明すると、まず、給湯リモコン１３２により所望の給湯温度が設定されカラン１２４が開栓されると、給水管１０５から貯湯タンク１０１に給水が開始され、その給水圧により貯湯タンク１０１内の高温水及び中温水は出湯管１１１及び中間出湯管１１２より排出され、第１混合弁１２０の湯側ａ及び水側ｂに供給される。このとき、第１混合弁１２０の初期設定とし
て水側ｂを略全開状態にしておくと貯湯タンク１０１内の中温水が優先的に排出され、混合出口側ｃより次段に供給される。この湯温を第１温度検出器１２１で検出し、検出された湯温が給湯リモコン１３２で設定された温度より所定温度（例えば２℃）以上ある場合は、これ以上水側に弁開度を調節することができないため、この状態で中温水の供給を継続し、次段の給湯混合弁１２２により給水管１０５からの給水と混合して設定温度の湯をカラン１２４に供給する。
【００３５】
次に、第１温度検出器１２１で検出された湯温が給湯リモコン１３２で設定された温度より低い場合は、第１混合弁１２０の湯側ａの開度を開き高温出湯管１１１からの高温水を取り入れ中温水と混合して目標温度になるように弁開度の制御を開始する（太線で示す経路で湯水が流れる）。この制御により第１混合弁１２０の出口温度は徐々に目標温度に近づき、次段の給湯混合弁１２２の湯側ｄに予め設定した目標温度の湯を供給する。そして、給湯混合弁１２２で給水管１０５からの給水と混合して設定温度の湯をカラン１２４に供給する。
【００３６】
以上のように、通常動作においては第１混合弁１２０により貯湯タンク１０１内に溜まった中温水を優先的に利用してカラン１２４等の利用側端末に湯水供給を行うため、貯湯タンク下方には低温水を確保することができるとともに、貯湯タンク上方の高温水の使用を最小限に抑えることができ、高ＣＯＰの沸き上げ動作と湯切れ現象の抑制を図ることができ、ヒートポンプ式給湯装置の湯水利用形態としては極めて有効な手段を確保できるものである。
【００３７】
しかしながら、上記構成における中温水の優先的な利用形態は、貯湯タンク１０１内に中温水が存在する状態で湯水の利用量が極端に少ない、あるいは全く使用しない状態が長時間継続すると、貯湯タンク１０１内の湯水温度が低下し、貯湯タンク１０１の下部において雑菌が繁殖しやすい温度分布になり、特に、レジオネラ菌が繁殖すると人体に危害を及ぼす場合がある。つまり、湯水の利用が極端に少なく貯湯タンク１０１内の湯水の流動がなくなるとレジオネラ菌等の雑菌が繁殖しやすい状態となり、このような状態で使用を継続していると、雑菌が繁殖した貯湯タンク下部に近い中温出湯管１１２から優先的に湯水を取り出すため、繁殖した雑菌は中温出湯管１１２から給湯利用の早い時期に流出されることになり、カラン１２４等を介して外部に排出される。排出された雑菌の中にレジオネラ菌が混入していると空気中に飛散し、呼吸器系より人体に悪影響を及ぼすことになる。
【００３８】
そこで、本実施の形態における給湯装置は、全量沸き上げ運転を行う夜間時間帯に入るときに、まず、残湯湯温検出器１３６で構成する中部温度検出手段により、貯湯タンク１０１の略中間部において中温水が存在するか否かを検出する。つまり、残湯湯温検出器１３６で検出される温度が第１設定温度（例えば、３０℃）以上か否かを判断し、第１設定温度以上であると判断したときは中温水が存在すると判断し、第１設定温度以下であると判断した場合は貯湯タンク１０１内に給水管から多量の水が供給されている、いわゆるタンク内湯水の利用量が多く、停滞することなく流動していると判断する。
【００３９】
次に、残湯湯温検出器１３７で構成する上部温度検出手段により、貯湯タンク１０１の略上部において高温水の入れ替り現象があるか否かを検出する。つまり、全量沸き上げ運転を行う夜間時間帯に入るまでに残湯湯温検出器１３７で検出される温度が予め設定した第２設定温度（例えば、４５℃）以下になったことがあるか否かを判断し、一度でも残湯湯温検出器１３７で検出される温度が第２設定温度を下回った場合は、貯湯タンク１０１の略上部において高温水と中温水以下の低温水との入れ替り現象が発生し、タンク内湯水が使用により流動したものと判断し、一度も第２設定温度を下回らない場合は使用量が極端に少ないか、全く使用されず、タンク内湯水が停滞しているものと判断する。
【００４０】
以上、中部温度検出手段と上部温度検出手段により、貯湯タンク１０１内に中温水が存在し、タンク内湯水の流動が確認できないという判断がされたとき、中温出湯管１１２からの出湯を禁止する中温水使用禁止モードとし、第１混合弁１２０の湯側ａの弁開度を全開状態となるように駆動し、その後、所定の条件を満足して制御部１３４より制御禁止解除信号が出力されるまで、第１混合弁１２０の制御を禁止状態とする中温水使用禁止モードを継続し、湯側全開状態を保持するようにしている。
【００４１】
この制御により、中温水使用禁止モード期間中の湯水利用形態は、貯湯タンク１０１の上部出湯管１１１から供給される湯水を第１混合弁１２０を介して負荷側混合弁である給湯混合弁１２２の湯側ｄに供給し、給水管１０５から供給される水側ｅの給水と混合して設定温度の湯水をカラン１２４から利用することになる。
【００４２】
この利用形態により、湯水の利用量が極端に少ない、または全く使用されず、タンク内湯水の流動が停滞する期間中に貯湯タンク１０１の下部にレジオネラ菌等の雑菌が繁殖したとしても、中温水使用禁止モード期間中の給湯利用において中温出湯管１１２からの湯水供給は禁止されることになり、タンク上部の比較的高温状態の湯を優先的に利用するため、雑菌の流出を抑制することができる。
【００４３】
そして、中温水使用禁止モードにおいて貯湯タンク１０１の全量沸き上げ運転が行われ、貯湯タンク１０１内の全量がレジオネラ菌等の雑菌が死滅する温度、例えば６５℃以上になると、制御部１３４は第１混合弁１２０の制御禁止解除信号を出力し、通常の中温出湯管１１２からの中温水優先取り出しによる混合制御を再開させるようにしている。
【００４４】
その具体的実施形態として、中部温度検出手段と上部温度検出手段により中温水使用禁止モードであると判断されたとき、最初の夜間時間帯に実施される全量沸き上げ運転が経過した後の湯切れ沸き上げ運転を行う昼間時間帯になってから、第１混合弁１２０の制御禁止を解除し、中温水使用禁止モードから通常モードに変更するようにしたもので、中温水使用禁止モード中は第１混合弁１２０の制御を禁止して中温出湯管１１２からの湯水の供給を禁止するため、中温水使用禁止モード中に貯湯タンク１０１下部に繁殖したレジオネラ菌等の雑菌の流出を防止することができ、夜間時間帯を経過することで貯湯タンク１０１下部の湯水を含むタンク全量をレジオネラ菌が死滅する６５℃以上の湯温に沸き上げることができ、この全量沸き上げ運転の時間帯を経過した後に第１混合弁１２０の制御を用いて湯水混合制御を行うことで、レジオネラ菌等の雑菌が存在しない状態で効果的な湯水利用形態を確保することができる。
【００４５】
なお、中温水の有無及び使用状況の有無を判断するため設定した第１設定温度及び第２設定温度の値は本実施の形態に限定されるものではなく、タンク容量等に応じて任意に設定することが可能である。
【００４６】
上記実施の形態における具体的な制御動作を図５のフローチャートを用いて説明すると、まず、図５において、ステップ１で中温出湯管１１２からの中温水の優先的な利用による通常動作が行われており、ステップ２で夜間時間帯に入ったか否かを判断し、夜間時間帯に入ったと判断したときは、ステップ３で残湯湯温検出器１３６で検出される湯温が予め設定した第１設定温度以上か否かを判断し、第１設定温度以上の場合は貯湯タンク１０１内に中温水が存在すると判断する。そして、第１設定温度以下の場合は給水管１０５から給水があり、タンク内湯水の流動があると判断して、ステップ６に進んで全量沸き上げ運転を開始する。ステップ３で中温水が存在すると判断したときはステップ４で残湯湯温検出器１３７で検出される湯温が全量沸き上げ運転を行う夜間時間帯に入るまでに予め設定した第２設定温度を下回ったことがあるか否かを判断し、一度でも下回ったことがある
と判断したときは、タンク内湯水の流動があると判断して、ステップ６に進んで全量沸き上げ運転を開始する。ステップ４で一度も下回ったことがないと判断したときは、中温水使用禁止モードとし、第１混合弁１２０の弁開度を湯側ａが全開状態となるよう駆動し、その後第１混合弁１２０の弁開度の制御を禁止状態とする。次に、ステップ６で貯湯タンク１０１の全量沸き上げ運転が完了したか否かを判断し、完了したと判断したとき、つまり、貯湯タンク１０１内の湯温が雑菌等が死滅する所定温度以上になったとき、ステップ７で第１混合弁１２０の制御禁止状態を解除し、通常動作に復帰させるようにしている。
【００４７】
なお、ステップ６の全量沸き上げ運転完了の判断として、昼間時間帯になったか否かを判断して、昼間時間帯になってから第１混合弁１２０の制御禁止状態を解除するようにすることで回路構成の簡素化が図れるものである。
【産業上の利用可能性】
【００４８】
以上のように、本発明貯湯式給湯装置は、ヒートポンプ式給湯装置の湯水利用形態として極めて有効な手段である中温水を優先的に使用可能な湯水混合制御方法を提供しつつ、使用湯量が極端に少なく湯水の利用が停滞したときの安全性を確保したものであり、熱源に関係なく湯水混合制御全般に適用できるものである。
【図面の簡単な説明】
【００４９】
【図１】本発明の実施の形態１における貯湯式給湯装置の構成図
【図２】同貯湯式給湯装置における沸き上げ動作を示す図
【図３】同貯湯式給湯装置における湯水利用形態の一例を示す図
【図４】同貯湯式給湯装置における湯水利用形態の別の一例を示す図
【図５】同貯湯式給湯装置における制御動作を示すフローチャート
【符号の説明】
【００５０】
１０１  貯湯タンク
１０５  給水管
１０６  ヒートポンプ回路
１１１  出湯管
１１２  中温出湯管
１２０  第１混合弁
１２２  給湯混合弁（負荷側混合弁）
１２５  風呂混合弁（負荷側混合弁）
１３４  制御部
１３５  残湯湯温検出器（中部温度検出手段）
１３７  残湯湯温検出器（上部温度検出手段）
１４０  タイマー部
【図５】
0004715401.tif 000002
【図１】
0004715401.tif 000003
【図２】
0004715401.tif 000004
【図３】
0004715401.tif 000005
【図４】
0004715401.tif 000006